(57)【要約】【課題】  塗工液と共に気泡が吐出されても、その気泡がノズル先端部に付着、滞留しにくくし、これによって塗工スジの発生を防止しうる液供給ノズルを提供する。【解決手段】  液供給ノズル２１の先端部に、吐出スリット１１の吐出口の両側に形成された先端平坦面Ａと、先端平坦面に対して鋭角で交叉する逆傾斜面Ｂと、それに続く垂直面Ｄと、それに続く傾斜面Ｃを設け、塗布対象となるウェブ又はロール面１３から傾斜面Ｃまでの距離を長くし、ウェブ又はロール面１３と逆傾斜面Ｂに気泡が接触して付着しようとしても、その気泡が傾斜面Ｃにはほとんど接触できず、このため、気泡が安定して滞留できず、直ちにノズル先端部から離れる構成とする。【選択図】  図１
2005199135.tif 000002
【特許請求の範囲】
【請求項１】
塗工液を吐出する吐出スリットを備えた液供給ノズルであって、前記吐出スリットの吐出口の両側に形成された先端平坦面（Ａ）と、少なくとも前記吐出スリットの片側に位置する前記先端平坦面（Ａ）に続く位置に形成され、該先端平坦面に対して鋭角で交叉する逆傾斜面（Ｂ）と、該逆傾斜面（Ｂ）に続く位置に形成され、前記吐出スリットに対してほぼ平行な垂直面（Ｄ）と、該垂直面（Ｄ）に続く位置に形成され、該垂直面から離れるにつれて前記吐出スリットから離れるように傾斜した傾斜面（Ｃ）を有することを特徴とする液供給ノズル。
【請求項２】
前記先端平坦面（Ａ）、逆傾斜面（Ｂ）、垂直面（Ｄ）及び傾斜面（Ｃ）の形状、寸法を、塗布対象の表面、前記逆傾斜面（Ｂ）及び傾斜面（Ｃ）に接する円の直径によって決まる付着可能最小気泡径（ｄ）が、塗工液によって定まる存在可能気泡最大径（ｅ）よりも大きくなるように設定していることを特徴とする請求項１記載の液供給ノズル。
【請求項３】
前記先端平坦面（Ａ）と逆傾斜面（Ｂ）のなす角度θを、３０°≦θ≦６０°としたことを特徴とする請求項１又は２記載の液供給ノズル。
【請求項４】
請求項１、２又は３記載の液供給ノズルにおいて、該液供給ノズルを塗布対象に対して塗布を行うための所定位置に配置した状態において、前記先端平坦面（Ａ）が、前記塗布対象に前記吐出スリットに対向する位置で接する接線に対して、平行となるか、若しくは液供給ノズルに対する前記塗布対象の相対的な移動方向に関して下流側の間隔が広がるように傾斜した状態となるように、前記先端平坦面（Ａ）の形状を定めていることを特徴とする液供給ノズル。
【発明の詳細な説明】
【技術分野】
【０００１】
本発明は、塗工液を吐出スリットから吐出して、走行中の樹脂フィルム、金属箔等のウェブ又は回転中のコーティングロールに塗布するための液供給ノズルに関し、特に、走行中のウェブ又は回転中のコーティングロールに過剰量の塗工液を塗布し、その後、塗膜が所望の厚みとなるようにロール等にて掻き取るコーティング方式に用いるのに好適な液供給ノズルに関する。
【背景技術】
【０００２】
従来、コーティング装置として、図９（ａ）に示すように、ウェブ１を支持して回転する支持ロール２の周面のウェブ１に対向する位置に液供給ノズル３を配置し、塗工液タンク４から送液ポンプ５で送られてくる塗工液６をウェブ１の表面に、過剰量塗布し、ウェブ１上の塗膜が所望の厚みとなるように掻き取りロール７で掻き取る方式のもの、あるいは、図９（ｂ）に示すように、回転中のコーティングロール８に対向する位置に液供給ノズル３を配置し、コーティングロール８に過剰量の塗工液６を塗布し、コーティングロール８上の塗膜が所望の厚みとなるように掻き取りロール７で掻き取った後、その塗膜を支持ロール２で支持されて走行しているウェブ１に塗布する方式のもの等が知られている。
【０００３】
ところがこの種のコーティング装置において、例えば、ウェブ１に直接塗工液を塗布する方式のものでは、図１０に示すように、液供給ノズル３の先端部に気泡９が付着し、その位置に留まることにより、ウェブ１の塗布面にスジ１０が発生し、掻き取りロール７にて塗工液が掻き取られた後もウェブ１上に塗工スジ１０が残り、面質不良となることがあった。また、コーティングロール８を使用した方式でも同様に、液供給ノズル３の先端部に気泡が付着、滞留することにより、コーティングロール８の塗布面にスジが発生し、掻き取りロール７にて塗工液が掻き取られ、ウェブ１に塗布された後もウェブ１上に塗工スジが残り、面質不良となることがあった。
【０００４】
液供給ノズルの先端に付着する気泡の発生原因は、塗工液タンク等で塗工液中に巻き込まれた気泡や、配管内、液供給ノズル内に滞留していた気泡が塗工液と共に流出することにある。そこで、従来は、塗工液タンク或いは配管途中に脱泡装置を設けて、塗工液内の気泡を除去する方法、あるいは、塗布を実施する前に、３０分〜１時間程度の送液、循環を継続し、配管内の気泡を除去する方法などが実施されている。しかしながら、これらの方法を実施しても、塗工液内の気泡を全て除去することは困難であり、時折、気泡が塗工液と共に吐出され、その気泡が液供給ノズル先端部に付着し、その位置に留まってしまうため、塗工スジが生じていた。
【０００５】
気泡付着による塗工スジを防止するには、塗工液と共に吐出された塗工液が塗工液と共にウェブ或いはコーティングロールに塗布されて移動し、液供給ノズルの先端部には留まらないようにすればよい。しかしながら、従来、液供給ノズルの先端形状を、気泡が付着、滞留しないような形状とする対策は行われていない。本発明者らが従来の液供給ノズルについて確認した形状及び問題点は以下の通りであった。
【０００６】
（１）図１１に示す液供給ノズル３Ａ
この液供給ノズル３Ａは、吐出スリット１１の吐出口の両側に同一平面上に位置するよう形成された先端平坦面Ａと、それに続く位置に形成され、先端平坦面Ａから離れるにつれて吐出スリット１１から離れるように傾斜した傾斜面Ｃ（先端平坦面Ａに対してなす角度θが、９０°＜θ＜１８０°、一般的には、９０°＜θ≦１２０°となるように傾斜した面）を備えた形状であり、先端平坦面Ａは、塗布対象であるウェブ又はロール面１３に吐出スリット１１に対向する位置で接する接線１４に平行になるように形成されている。この液供給ノズル３Ａでは、ウェブ又はロール面１３と傾斜面Ｃに囲まれた部分に気泡９が付着、滞留することがあり、特に、傾斜面Ｃが、塗布されなかった塗工液１５で濡れた状態となった時に気泡９の付着、滞留が多い。
【０００７】
（２）図１２に示す液供給ノズル３Ｂ
この液供給ノズル３Ｂは、先端平坦面Ａと、それに続く位置に形成され、先端平坦面Ａに対して直角な垂直面Ｄ（先端平坦面Ａに対してなす角度θ＝９０°となる面）と、それに続く傾斜面Ｃを備えた形状であり、先端平坦面Ａは、ウェブ又はロール面１３の接線１４に平行となるように形成されている。この液供給ノズル３Ｂでは、ウェブ又はロール面１３と垂直面Ｄに囲まれた部分、或いはウェブ又はロール面１３と垂直面Ｄと傾斜面Ｃに囲まれた部分に気泡９が付着、滞留することがあり、特に、垂直面Ｄ及び傾斜面Ｃが、塗布されなかった塗工液１５で濡れた状態となった時に気泡９の付着、滞留が多い。
【０００８】
（３）図１３に示す液供給ノズル３Ｃ
この液供給ノズル３Ｃは、図１３（ａ）に示すように、先端平坦面Ａと、それに鋭角で交叉するように形成された逆傾斜面Ｂ（先端平坦面Ａに対してなす角度θが、０°＜θ＜９０°、一般的には、６０°≦θ＜９０°となるように傾斜した面）と、それに続く傾斜面Ｃを備えた形状であり、先端平坦面Ａは、ウェブ又はロール面１３の接線１４に平行になるように形成されている。この液供給ノズル３Ｃでは、逆傾斜面Ｂやそれに続く傾斜面Ｃが塗工液で濡れていない状態では気泡付着はほとんど見られない。しかしながら、旧巻取と新巻取の切替時において、図１３（ｂ）に示すように、ウェブ１のつなぎ部１ａがコート部を通過する際、液供給ノズル３Ｃをウェブ１から離す動作を行う必要があり、その際にウェブ又はロールに塗布されなかった塗工液１５が逆傾斜面Ｂやそれに続く傾斜面Ｃに流れ出て濡らすこととなり、図１３（ｃ）に示すように、塗工液１５が付着すると、ウェブ又はロール面１３と逆傾斜面Ｂと傾斜面Ｃに囲まれた部分に気泡９が付着、滞留してしまう。
【発明の開示】
【発明が解決しようとする課題】
【０００９】
本発明はかかる状況に鑑みてなされたもので、塗工液と共に気泡が吐出されても、その気泡がノズル先端部に付着、滞留しにくく、これによって塗工スジの発生を防止しうる液供給ノズルを提供することを課題とする。
【課題を解決するための手段】
【００１０】
本発明の液供給ノズルは、先端部に気泡が付着、滞留しにくくするため、ノズル先端形状を、吐出スリットの吐出口の両側に形成された先端平坦面（Ａ）と、少なくとも前記吐出スリットの片側に位置する前記先端平坦面（Ａ）に続く位置に形成され、該先端平坦面に対して鋭角で交叉する逆傾斜面（Ｂ）と、該逆傾斜面（Ｂ）に続く位置に形成され、前記吐出スリットに対してほぼ平行な垂直面（Ｄ）と、該垂直面（Ｄ）に続く位置に形成され、該垂直面から離れるにつれて前記吐出スリットから離れるように傾斜した傾斜面（Ｃ）を有する構成としたものである。この構成としたことにより、液供給ノズルを塗布対象となるウェブ又はロール面に対向させて且つ前記逆傾斜面（Ｂ）、垂直面（Ｄ）及び傾斜面（Ｃ）が少なくとも液供給ノズルに対する塗布対象の相対的な移動方向に関して前記吐出スリットの下流側に存在するように配置して塗布動作を行うと、吐出スリットの下流側において塗布対象となるウェブ又はロール面から傾斜面（Ｃ）までの距離が長くなり、ウェブ又はロール面（又はその上の塗工液）に接触している気泡がノズル先端部に付着しようとしても、その気泡は逆傾斜面（Ｂ）のみに接触する場合がほとんどであり、傾斜面（Ｃ）にまで接触することはほとんどなく、このため、気泡が安定して滞留することがなく、直ちにノズル先端部から離れてしまう。かくして、ノズル先端部への気泡の付着、滞留を防止でき、塗工スジの発生を防止できる。
【００１１】
ここで、前記先端平坦面（Ａ）、逆傾斜面（Ｂ）、垂直面（Ｄ）及び傾斜面（Ｃ）の形状、寸法を、塗布対象の表面、前記逆傾斜面（Ｂ）及び傾斜面（Ｃ）に接する円の直径によって決まる付着可能最小気泡径（ｄ）が、塗工液によって定まる存在可能気泡最大径（ｅ）よりも大きくなるように設定することが好ましい。この構成とすると、ノズル先端部に付着しようとした気泡の傾斜面（Ｃ）への接触を一層良好に防止でき、ノズル先端部への気泡の付着、滞留を更に防止できる。
【００１２】
また、前記先端平坦面（Ａ）と逆傾斜面（Ｂ）のなす角度θを、３０°≦θ≦６０°とすることが好ましい。この構成とすると、ノズル先端部に流れ出た気泡が逆傾斜面（Ｂ）に接触しにくくなり、ノズル先端への気泡の付着、滞留を更に良好に防止できる。
【００１３】
また、液供給ノズルを塗布対象に対して塗布を行うための所定位置に配置した状態において、前記先端平坦面（Ａ）が、前記塗布対象に前記吐出スリットに対向する位置で接する接線に対して、平行となるか、若しくは液供給ノズルに対する前記塗布対象の相対的な移動方向に関して下流側の間隔が広がるように傾斜した状態となるように、前記先端平坦面（Ａ）の形状を定めておくことが好ましい。この構成とすると、吐出スリットから塗工液と共に吐出された気泡が、塗布対象と先端平坦面（Ａ）との間に引っかかって滞留するということがなく、これによっても塗工スジの発生を抑制できる。
【発明の効果】
【００１４】
本発明の液供給ノズルは、ノズル先端部への気泡の付着、滞留を防止することができ、脱泡装置の設置、長時間の送液、循環だけでは除去できない気泡による塗工スジ不良を無くすことが可能となる。
【発明を実施するための最良の形態】
【００１５】
本発明の液供給ノズルは、図９（ａ）、（ｂ）に示したような、走行中のウェブ又は回転中のコーティングロールに過剰量の塗工液を塗布し、その後、塗膜が所望の厚みとなるようにロール等にて掻き取るコーティング方式において、塗工液を塗布するのに用いるのに好適であるが、これに限らず、ウェブや平板状の基材に対して直接、塗布液を所望厚さに塗布するための液供給ノズルとして使用してもよい。また、平板状の基材に対して塗布する場合には、液供給ノズルを定位置に配置し、基材を走行させる場合に限らず、基材を定位置に配置し、液供給ノズルを基材に沿って走行させる方式で使用してもよい。以下、本発明に係る液供給ノズルを、図９（ａ）、（ｂ）に示すコーティング方式のように、ウェブ又はロール面に対して過剰量の塗工液を塗布する場合を例にとって説明する。
【００１６】
図１は、本発明の実施形態に係る液供給ノズル２１の先端部を示す概略断面図であり、塗工対象であるウェブ又はロール面１３に対して塗工液６を塗布している状態で示している。液供給ノズル２１は、吐出スリット１１の吐出口の両側に同一平面上に位置するよう形成された先端平坦面Ａと、その先端平坦面Ａに続く位置に形成され、先端平坦面Ａに対して鋭角で（すなわち、０＜θ＜９０で）交叉する逆傾斜面Ｂと、その逆傾斜面Ｂに続く位置に形成され、吐出スリット１１に対してほぼ平行な垂直面Ｄと、その垂直面Ｄに続く位置に形成され、垂直面Ｄから離れるにつれて吐出スリット１１から離れるように傾斜した傾斜面Ｃを備えている。以下、各部の形状、寸法を更に詳細に説明する。
【００１７】
先端平坦面Ａは、吐出スリット１１に対して直角に形成されており、この液供給ノズル２１を塗布対象であるウェブ又はロール面１３に対して塗布のための所定位置に対向して配置した時、その先端平坦面Ａは、ウェブ又はロール面１３に、吐出スリット１１に対向する位置で接する接線１４に対して平行となる。なお、先端平坦面Ａを吐出スリット１１に対して直角とする代わりに、図２に示す液供給ノズル２１Ａのように、傾斜させて設けても良い。この傾斜方向は、接線１４と先端平坦面Ａとの間隔が、液供給ノズル２１に対するウェブ又はロール面１３の相対的な移動方向に関して上流側（塗布される前の側）よりも下流側（塗布された後の側）で広がるように設定しておく。このように、先端平坦面Ａを接線１４に対して平行或いは下流側で広がるように設定しておくと、吐出スリット１１から塗工液と共に気泡が吐出されても、その気泡がウェブ又はロール面１３と先端平坦面Ａとの間で滞留するということがない。もし、ウェブ又はロール面１３と先端平坦面Ａとの間隔が下流側で小さくなる構造とした場合には、吐出スリット１１から流れ出た気泡が、狭くなったウェブ又はロール面１３と先端平坦面Ａの下流端近傍に引っ掛かって滞留し、その気泡によって塗工スジを生じる恐れが生じるが、図１、図２に示す液供給ノズル２１、２１Ａではそのような気泡の引っ掛かりを防止できる。図２に示すように、先端平坦面Ａを接線１４に対して傾斜させる場合の角度αとしては、０°＜α≦１０°程度とすることが好ましい。
【００１８】
図１において、逆傾斜面Ｂは、ウェブ又はロール面１３と先端平坦面Ａとの間を通り抜けた気泡９が逆傾斜面Ｂにくっついて、その位置に留まることを極力阻止するために設けたものである。この逆傾斜面Ｂと先端平坦面Ａとのなす角度θは、小さくなる程気泡の付着防止効果が大きくなる傾向があるので、適度な付着防止効果を確保する上から７５°以下とすることが好ましく、更には、６０°以下とすることが一層好ましい。一方、この角度θをあまり小さくすると加工が困難となる。これらの点から、角度θは、１０°≦θ≦７５°の範囲とすることが好ましく、更には、３０°≦θ≦６０°の範囲とすることが一層好ましい。
【００１９】
垂直面Ｄは、塗布対象であるウェブ又はロール面１３から傾斜面Ｃまでの距離を長くし、ウェブ又はロール面１３（又はその上の塗工液６）と傾斜面Ｃに接触した状態で滞留する気泡が発生しにくくするために設けたものである。すなわち、図１３（ｃ）の従来例で示したように、ノズル先端部に気泡９が付着、滞留して塗工スジを生じる場合、その気泡９はウェブ又はロール面１３（又はその上の塗工液６）と逆傾斜面Ｂと傾斜面Ｃに接触した状態で滞留するので、図１或いは図２に示すように、垂直面Ｄを設けて傾斜面Ｃをウェブ又はロール面１３から遠ざけ、気泡９が傾斜面Ｃには接触できないようにすることで、気泡が安定して滞留できないようにしている。
【００２０】
次に、液供給ノズル２１に対する気泡の付着、滞留の可能性を更に詳細に説明する。図３（ａ）に示すように、気泡９ａの直径が小さく、その気泡９ａがウェブ又はロール面１３（又はその上の塗工液６）と逆傾斜面Ｂのみに接触した状態では気泡９ａは不安定となって、この位置に留まれず、直ちにウェブ又はロール面１３に付着して脱落してしまうか、或いは、気泡９ｂのように、ウェブ又はロール面１３から離れ、垂直面Ｄと傾斜面Ｃに接触した状態となる（この状態では、気泡９ｂはウェブ又はロール面１３上の塗工液６に接触しないので、塗工スジを生じさせることはなく、従って、付着していていも支障はない）。一方、図３（ｂ）に示すように、ウェブ又はロール面１３（又はその上の塗工液６）と逆傾斜面Ｂと傾斜面Ｃに接触した気泡９ｃ（垂直面Ｄには接触していてもしていなくてもよい）が生じた場合、その気泡９ｃはその位置に留まることが多く、塗工スジの原因となる。従って、ウェブ又はロール面１３（又はその上の塗工液６）と逆傾斜面Ｂと傾斜面Ｃに接する円の直径ｄ以上の直径の気泡が生じた時には、その気泡は、図示した気泡９ｃと同様に、ウェブ又はロール面１３（又はその上の塗工液６）と逆傾斜面Ｂと傾斜面Ｃに接触した状態となって、ノズル先端部に付着、滞留することができる。以下、この直径ｄを、付着可能最小気泡径という。ところで、塗工液によって形成され、安定して存在しうる気泡の大きさには、塗工液の物性（粘度、表面張力等）によって定まる限度があり、あまり大きい直径の気泡は安定して存在し得ない。従って、ノズル先端部に付着して滞留することができる気泡（例えば、図面の気泡９ｃ）の最小径、すなわち、付着可能最小気泡径ｄが、安定して存在しうる気泡の最大径（以下、存在可能最大気泡径という）ｅよりも大きくなるように、液供給ノズル２１の各部寸法や角度を設定しておけば、図３（ｂ）に示すように、ウェブ又はロール面１３（又はその上の塗工液６）と逆傾斜面Ｂと傾斜面Ｃに接触した気泡９ｃは発生せず、従って、ノズル先端部での気泡の付着、滞留を防止できる。
【００２１】
液供給ノズル２１の各部寸法、すなわち図４に示す先端平坦面Ａの長さＬ、逆傾斜面Ｂの長さＭ、垂直面Ｄの長さＮ、傾斜面Ｃの垂直面Ｄの垂線に対してなす角度η等は、基本的にはこれらのことを考慮して定めればよい。すなわち、付着可能最小気泡径ｄと存在可能最大気泡径ｅとの間に、ｄ＞ｅの関係が成り立つように定めれば良い。ここで、存在可能最大気泡径ｅは、使用する塗工液の表面張力、粘度などの物性によって定まるものであり、具体的には実験によって（例えば、気泡の付着しやすい形態の液供給ノズルを用い且つ塗工液中にエアーを吸入させて塗工を行い、液供給ノズル先端部に気泡を付着させ、その最大径を測定することによって、或いは、塗工液中に空気を吹き込んで泡立てた後、安定して残った気泡の最大径を測定することによって）、求めることができる。
【００２２】
液供給ノズル２１の各部寸法は、基本的には上記したように、「付着可能最小気泡径ｄ＞存在可能最大気泡径ｅ」の関係が成り立つように定めれば良く、付着可能最小気泡径ｄが存在可能最大気泡径ｅに比べて大きくなればなる程、気泡付着防止効果が増す。従って、先端平坦面Ａの長さＬ、逆傾斜面Ｂの長さＭ、垂直面Ｄの長さＮは、長くするほど気泡付着防止効果には有効である。しかしながら、以下の制約も受けるので、各長さＬ、Ｍ、Ｎの設定に当たってはこれらを考慮して定めれば良い。。
長さＬ：長すぎると、塗工面質に影響する恐れがある。
長さＭ：長すぎると、垂直面Ｄと吐出スリット１１の間の幅が小さくなり、加工が困難となる。
長さＮ：長すぎると、垂直面Ｄと吐出スリット１１の間の部分が細長くなり、加工が困難となる。
【００２３】
また、傾斜面Ｃの垂直面Ｄの垂線に対してなす角度ηの値についても制約がある。すなわち、角度ηがあまり小さすぎると、上記した付着可能最小気泡径ｄが小さくなるのみならず、傾斜面に塗工液が溜まりやすくなるという問題があり、角度ηが大きすぎると、傾斜面Ｃと吐出スリット１１の間の厚みが薄くなり、加工が困難となる。これらを考慮して、角度ηの値としては、２０°≦η≦６０°の範囲内に設定することが好ましい。
【００２４】
次に、種々な先端形状の液供給ノズルを用いて塗工テストを行い、液供給ノズルの先端形状と気泡の付着の有無の関係を測定したので、その結果を示す。
【００２５】
（１）テスト条件
図５に示すように、ウェブ１を支持して回転する支持ロール２の周面のウェブ１に対向する位置に液供給ノズル３１（先端形状は後述する）を配置し、塗工液タンク４から送液ポンプ５で送られてくる塗工液６をウェブ１の表面に、過剰量塗布し、ウェブ１上の塗膜が所望の厚みとなるように掻き取りロール７で掻き取る方式のコーティング装置を用意し、その塗工液タンク４と送液ポンプ５の間にエアー吸入用配管３２及びバルブ３３を接続し、塗工液中に強制的にエアーを吸入させ、気泡が発生しやすい状態として液供給ノズル先端部での気泡の付着、滞留の有無及び塗工スジの有無を測定した。吸入エアー量は、バルブ３３の開度、開時間により調整した。塗工条件は次の通りとした。
ウェブ走行速度：２０ｍ／ｍｉｎ
塗工液        ：粘度３ｃｐｓ
：固型分比２０％
固型分［金属粒子（粒径３μｍ）、アクリル系ＵＶ樹脂］
溶剤分（トルエン、メチルイソブチルケトン）
塗工液流量    ：２．５リットル／ｍｉｎ
液供給ノズルの吐出幅：５００ｍｍ
掻き取り後のＷｅｔ膜厚：１０μｍ
【００２６】
（２）先端平坦面Ａとそれに続く面とのなす角度θの影響確認テスト
図６（ａ）、（ｂ）に示す形状の液供給ノズル３Ａ、３Ｂで且つ角度θ＝９０°、１２０°、１５０°のものを図５のコーティング装置における液供給ノズル３１として用いて塗工テストを行い、表１の実験ＮＯ．１、２、３に示す結果を得た。これらの液供給ノズルでは、エアー吸入量が少なくても、ノズル先端部への気泡の付着、滞留が生じ且つ塗工スジも見られた。
【００２７】
次に、図６（ｃ）に示す形状の液供給ノズル３Ｃで且つ角度θ＝８０°について塗工テストを行い、表１の実験ＮＯ．４Ａ、４Ｂに示す結果を得た。この液供給ノズルでは、エアー吸入量を多くするとノズル先端部への気泡の付着、滞留が起こった。
【００２８】
更に、図６（ｃ）に示す形状の液供給ノズル３Ｃで且つ角度θ＝２０°、４０°、６０°について塗工テストを行ったところ、表１の実験ＮＯ．５、６、７に示すように、エアー吸入量が多くてもノズル先端部への気泡の付着、滞留は生じなかった。これらの液供給ノズルについて、ウェブからノズルを一旦離し、次いで元の位置に戻すノズル脱着動作を行い、逆傾斜面Ｂ及び傾斜面Ｃを塗工液で濡らした後、再度塗工テストを行ったところ、表１の実験ＮＯ．８、９、１０に示すように、全ての場合に、先端部への気泡の付着が見られた。
【００２９】
【表１】
2005199135.tif 000003
【００３０】
（３）図４及び図７に示す形状の液供給ノズル２１の各部寸法の影響確認テスト
図４及び図７に示すように、逆傾斜面Ｂと傾斜面Ｃの間に垂直面Ｄを形成した形状の液供給ノズル２１について、先端平坦面Ａの長さＬ、逆傾斜面Ｂの長さＭ、垂直面Ｄの長さＮ、角度θ、角度η及びこれらによって定まる付着可能最小気泡径ｄを表２に示す数値としたものを用意し、これらを図５に示すコーティング装置の液供給ノズル３１として用い、塗工テストを行った。なお、この塗工テストにおいては、液供給ノズルの脱着操作を行い、逆傾斜面Ｂ、垂直面Ｄ、傾斜面Ｃが塗工液で濡れた状態とした。また、エアー吸入量は「多」とした（表１に示す実験ＮＯ．５〜１０の場合と同じ）。塗工テストの結果も表２に示す。
【００３１】
【表２】
2005199135.tif 000004
【００３２】
表２に示す結果より明らかなように、付着可能最小気泡径ｄが大きい場合（実験ＮＯ．１２、１４、１６）は気泡付着が全く見られなかった。また、付着可能最小気泡径ｄが小さい場合（実験ＮＯ．１１、１３、１５）は、気泡付着が生じたものの、きわめて少量であり、垂直面Ｄを設けたことによる気泡付着防止効果が見られた。ちなみに、この実験に用いた塗工液における存在可能最大気泡径ｅは５ｍｍ程度であった。従って、付着可能最小気泡径ｄが、使用した塗工液における存在可能最大気泡径ｅに対して、ｄ＞ｅの関係が成り立つ場合に気泡付着防止効果が顕著に生じることを確認できた。
【００３３】
次に、「付着可能最小気泡径ｄ＞存在可能最大気泡径ｅ」の関係が気泡付着防止効果に有益である点を更に確認するため、塗工液の固型分比を変えて、粘度及び存在可能最大気泡径ｅを変え、同様の実験を行った。この実験に用いた塗工液の固型分比、粘度及び存在可能最大気泡径ｅは次の通りである。
固型分比      ：１５％
粘度          ：２．２ｃｐｓ
ｅ            ：３ｍｍ程度
その他の実験条件は同じ。
実験結果を表３に示す。表３の結果から明らかなように、「付着可能最小気泡径ｄ＞存在可能最大気泡径ｅ」の関係が成り立つ場合には気泡付着が全く生じなかった。
【００３４】
【表３】
2005199135.tif 000005
【００３５】
（４）先端平坦面Ａとウェブ面の接線１４のなす角度の影響確認テスト
図８（ａ）、（ｂ）に示すように、先端平坦面Ａとウェブ面の接線１４のなす角度を変えて塗工テストを行った。その結果を表４に示す。表４より明らかなように、角度α′が５°、１０°の場合（先端平坦面Ａがウェブ１の進行方向に対してくさび型形状に配置された場合）にはウェブ１と先端平坦面Ａとの間に気泡が滞留し、塗工スジが生じることがあるが、角度αが０°の場合（先端平坦面Ａがウェブ１の接線１４に平行な場合）及び角度αが５°の場合（先端平坦面１と接線１４の間隔がウェブ進行方向の上流側よりも下流側で広くなっている場合）には、ウェブ１と先端平坦面Ａとの間に気泡が滞留することは無かった。特に、角度α＝５°の場合が、α＝０°の場合よりも、気泡が吐出スリット１１から吐出された後、ウェブ上に抜けていく時間が短く、気泡の付着、滞留防止効果が高いことを確認できた。
【００３６】
【表４】
2005199135.tif 000006
【００３７】
以上の実験結果から明らかなように、逆傾斜面Ｂを備えた液供給ノズルにおいて、逆傾斜面Ｂと傾斜面Ｃの間に垂直面Ｄを設けることで、ノズル先端部への気泡付着防止を図ることができ、特に、ノズルの各部寸法を、付着可能気泡最小径ｄが存在可能最大気泡径ｅに対して、ｄ＞ｅ  の関係が成り立つようにした場合に、気泡付着防止効果が顕著であった。また、先端平坦面Ａを、ウェブ面の接線１４に対して平行若しくは下流側の間隔が広がるように傾斜した形状とすることにより、ウェブ１と先端平坦面Ａとの間の気泡の滞留を防止できた。
【００３８】
なお、以上に説明した実施形態並びに実験結果に示した液供給ノズルでは、吐出スリットの両側に形成している先端平坦面Ａのそれぞれに続く位置に逆傾斜面Ｂ、垂直面Ｄ、傾斜面Ｃを設けて気泡付着防止を図っているが、塗工スジの原因となる気泡は主として、吐出スリット１１よりも、液供給ノズルに対するウェブ又はロール面の相対的な移動方向に関して下流側に付着するので、これを防止すればよく、従って、逆傾斜面Ｂ、垂直面Ｄ、傾斜面Ｃは必ずしも吐出スリットの両側に設けなくてもよく、少なくとも吐出スリットよりも下流側に設けておけば良い。例えば、吐出スリットの上流側では先端平坦面Ａに続く位置に垂直面Ｄを形成し、それに続いて傾斜面Ｃを形成するとか、先端平坦面Ａに続く位置に逆傾斜面Ｂを形成し、それに続いて傾斜面Ｃを形成するといったように、変更しても良い。
【図面の簡単な説明】
【００３９】
【図１】本発明の実施形態に係る液供給ノズルの先端部分を、塗工中の状態で示す概略断面図
【図２】本発明の他の実施形態に係る液供給ノズルの先端部分を、塗工中の状態で示す概略断面図
【図３】（ａ）、（ｂ）は液供給ノズル先端部への気泡付着状態を説明する概略断面図
【図４】液供給ノズルの先端部の寸法の取り方を示す概略断面図
【図５】塗工テストに用いたコーティング装置の概略構成図
【図６】（ａ）、（ｂ）、（ｃ）は塗工テストに用いた液供給ノズルを示す概略断面図
【図７】塗工テストに用いた液供給ノズルを示す概略断面図
【図８】（ａ）、（ｂ）は塗工テストに用いた液供給ノズルを示す概略断面図
【図９】（ａ）、（ｂ）はそれぞれ、コーティング装置を示す概略構成図
【図１０】塗工中に塗工スジが生じる状態を説明するコーティング装置主要部の概略斜視図
【図１１】従来の液供給ノズルの１例を示す概略断面図
【図１２】従来の液供給ノズルの他の例を示す概略断面図
【図１３】従来の液供給ノズルの更に他の例を示すもので、（ａ）、（ｂ）、（ｃ）は気泡が付着する状態を説明する概略断面図
【符号の説明】
【００４０】
１  ウェブ
２  支持ロール
３、３１  液供給ノズル
４  塗工液タンク
５  送液ポンプ
６  塗工液
７  掻き取りロール
８  コーティングロール
９、９ａ、９ｂ、９ｃ  気泡
１０  塗工スジ
１１  吐出スリット
１３  ウェブ又はロール面
１４  接線
１５  塗工液
２１、２１Ａ  液供給ノズル
３２  エアー吸入用配管
３３  バルブ
Ａ  先端平坦面
Ｂ  逆傾斜面
Ｃ  傾斜面
Ｄ  垂直面
【図１】
2005199135.tif 000007
【図２】
2005199135.tif 000008
【図３】
2005199135.tif 000009
【図４】
2005199135.tif 000010
【図５】
2005199135.tif 000011
【図６】
2005199135.tif 000012
【図７】
2005199135.tif 000013
【図８】
2005199135.tif 000014
【図９】
2005199135.tif 000015
【図１０】
2005199135.tif 000016
【図１１】
2005199135.tif 000017
【図１２】
2005199135.tif 000018
【図１３】
2005199135.tif 000019